(57)【要約】【課題】  振動吸収作用を発揮するダンパーがシャーシの横振れを許容する特性を有しているとしても、シャーシの横振れに伴う振動を抑制することのできるディスク装置の制振構造を提供する。【解決手段】  シャーシ１の後端部１２がダンパー６を介してフレーム枠７に連結されている。シャーシ１の前端部が昇降動作機構８に連結されている。シャーシ１の後端部１２の横振れを阻止する制振機構９が、フレーム枠７から立ち上げられた一対のリブ９２を有する。一対のリブ９２は、シャーシ１の後端部１２に備わっている板片部１１を、シャーシ１の揺動軸線Ｌに沿う方向で摺動自在に挟んでいる。【選択図】        図１
2010160852.tif 000002
【特許請求の範囲】
【請求項１】
矩形のシャーシの後端部がダンパーを介してフレーム枠に連結され、そのシャーシの前端部が昇降動作機構に連結されて、この昇降動作機構の動作を通じて上記シャーシが上記フレーム枠との連結箇所を支点として揺動されるようになっているディスク装置において、
上記シャーシの後端部の横振れを阻止する制振機構を設けたことを特徴とするディスク装置の制振構造。
【請求項２】
上記制振機構が、上記フレーム枠から立ち上げられて上記シャーシの後端部に備わっている板片部を、上記シャーシの揺動軸線に沿う方向で摺動自在に挟んでいる一対のリブである請求項１に記載したディスク装置の制振構造。
【請求項３】
上記制振機構が、上記シャーシの後端部に備わっているスリット状の切込みと、上記フレーム枠から立ち上げられて上記切込みに摺動自在に挿入されているリブと、を備える請求項１に記載したディスク装置の制振構造。
【発明の詳細な説明】
【技術分野】
【０００１】
本発明は、ディスク装置の制振構造、特に、矩形のシャーシの後端部がダンパーを介してフレーム枠に連結され、そのシャーシの前端部が昇降動作機構に連結されて、この昇降動作機構の動作を通じてシャーシがフレーム枠との連結箇所を支点として揺動されるようになっているディスク装置の制振構造に関する。
【背景技術】
【０００２】
図５にこの種のディスク装置の要部を概略平面図で示してある。このディスク装置では、板金製のシャーシ１にターンテーブル２が装備されていて、そのターンテーブル２によって記録媒体としてのディスク（不図示）が回転駆動される。シャーシ１には、メインガイドシャフト３とサブガイドシャフト４とが平行に取り付けられている。そして、シャーシ１に取り付けられた走行駆動機構（不図示）の作用により、光ピックアップ５がガイドシャフト３，４により案内されて矢印Ａ方向に往復移動し、その移動中に、ターンテーブル２によって回転駆動されているディスクの記録面を光ピックアップ５が光学的に処理するようになっている。
【０００３】
また、シャーシ１は、フレーム枠７に、その後端部１２を支点にして揺動自在に取り付けられている。すなわち、シャーシ１は、その後端部１２の幅方向の２箇所（左右２箇所）が、防振ゴム材などで製作されているダンパー６を介してフレーム枠７に連結されているのに対し、その前端部１３が昇降動作機構８に連結されている。図例の昇降動作機構８は、カム溝（不図示）を備えて矢印Ｗのようにシャーシ１の幅方向（シャーシ１の揺動軸線に沿う方向：横方向）にスライドされるカムスライダー８１と、シャーシ１の前端部１３から前方に向けて突出されて上記カムスライダー８１のカム溝に摺動自在に係合しているガイドピン８２とを有している。したがって、カムスライダ８１がシャーシ１の幅方向にスライドすると、カムスライダ８１のカム溝に案内されたガイドピン８２がシャーシ１の前端部１３を昇降させるので、シャーシ１がフレーム枠７との連結箇所を支点として（一点鎖線で示した揺動軸線Ｌを支点として）揺動する。シャーシ１が揺動軸線Ｌを支点として揺動するときには、シャーシ１とフレーム枠７とを連結しているダンパー６がその弾性に抗して変形する。
【０００４】
シャーシ１がその揺動軸線Ｌを支点として揺動するのは、図示していないディスクをターンテーブルとクランパー（不図示）とによって挟み付けるクランプ動作が行われるとき、及び、ターンテーブルとクランパーとによって挟み付けられているディスクのクランプ状態を解除するアンクランプ動作が行われるときであり、光ピックアップ５がディスクの記録面を光学的に処理しているとき（プレイモードなど）では、シャーシ１は実質的には揺動しない。
【０００５】
一方、光ディスク装置の分野では、フレームに設けたガイドリブによって、昇降用保持部材（上記シャーシに相当する）の自由端部（シャーシの前端部）を案内させ、そうすることによって昇降用保持部材が上下動される際のガタツキを抑制することが行われている（たとえば、特許文献１参照）。
【先行技術文献】
【特許文献】
【０００６】
【特許文献１】特開２００６−１５５７８４号公報
【発明の概要】
【発明が解決しようとする課題】
【０００７】
図５に例示した従来例のディスク装置では、シャーシ１の後端部１２が幅方向の２箇所でダンパー６を介してフレーム枠７に連結されているだけである。そして、ダンパー６は、シャーシ１に発生した振動を吸収してその振動がフレーム枠７などに伝達するのを抑制する作用を発揮する。しかしながら、上記ダンパー６は、その振動吸収作用を発揮する特性を有しているために、シャーシ１が幅方向Ｗに振れるという横振れを許容する特性をも有している。このことから、従来例のディスク装置では、シャーシ１の後端部１２の横ぶれに伴う振動を防ぐ手段が存在していなかった。そのため、プレイモードなどで光ピックアップ５に加わる横向きの加速度（Ｇ値）が大きいと、シャーシ１が横振れによる振動を発生し、ディスクがその必要回転数に達していないときであっても別部品が共振してびびり音が発生することがあるという問題があった。具体的には、ディスクがその必要回転数の１／３程度の回転数で回転しているときに別部品が共振してびびり音が発生することがあった。
【０００８】
この問題に関し、上掲の特許文献１の技術を利用し、シャーシの上下動時（揺動時）の前端部のがたつきを抑制するためのガイドリブに、シャーシの横振れに伴う振動を抑制する機能を持たせることが考えられる。しかし、そのようにしたとしても、シャーシの揺動支点はそのシャーシの後端部に存在し、ガイドリブによって横振れによる振動が抑制されるのはシャーシの前端部であるに過ぎないので、シャーシの横振れを許容する特性を有するダンパーを介してフレーム枠に連結されているシャーシの後端部の横振れに伴う振動を十分に抑制することは困難である。
【０００９】
本発明は、以上の問題や状況に鑑みてなされたものであり、シャーシなどの振動を吸収する作用を発揮するダンパーがシャーシの横振れを許容する特性を有しているとしても、シャーシの横振れに伴う振動を満足のいく程度に抑制することのできるディスク装置の制振構造を提供することを目的とする。
【００１０】
また、本発明は、部品点数を増加させることなく、シャーシの横振れに伴う振動を満足のいく程度に抑制することのできるディスク装置の制振構造を提供することを目的とする。
【課題を解決するための手段】
【００１１】
本発明に係るディスク装置の制振構造は、矩形のシャーシの後端部がダンパーを介してフレーム枠に連結され、そのシャーシの前端部が昇降動作機構に連結されて、上記昇降動作機構の動作を通じて上記シャーシが上記フレーム枠との連結箇所を中心として揺動されるようになっているディスク装置において、上記シャーシの後端部の横振れを阻止する制振機構を設けたものである。
【００１２】
この構成であると、シャーシの後端部とフレーム枠との連結箇所に介在されているダンパーがシャーシの振動を吸収する作用を発揮する。また、ダンパーはシャーシの振動を吸収する作用を発揮する特性を有しているがために、シャーシの後端部の一定幅での横振れを許容する特性をも発揮する。しかし、この発明では、シャーシの後端部の横振れを阻止する制振機構を設けてあるので、シャーシの振動を吸収する作用を発揮するダンパーがシャーシの横振れを許容する特性を有しているとしても、シャーシの後端部の横振れが制振機構によって阻止されることになり、シャーシが横振れに伴う振動を発生することが効率よく抑制されるようになる。
【００１３】
本発明では、上記制振機構が、上記フレーム枠から立ち上げられて上記シャーシの後端部に備わっている横長の板片部を横方向で摺動自在に挟んでいる一対のリブである、という構成を採用することが可能である。また、上記制振機構が、上記シャーシの後端部に備わっているスリット状の切込みと、上記フレーム枠から立ち上げられて上記切込みに摺動自在に挿入されているリブと、を備えるという構成を採用することも可能である。これらの各発明によると、制振機構がフレーム枠から立ち上げられたリブによって構成されているので、制振機構を構成するのに特別な部品を用いる必要がなくなり、その結果、部品点数を増加させなくて済む。
【発明の効果】
【００１４】
以上のように、本発明によると、シャーシの後端部とフレーム枠との連結箇所に介在されているダンパーが、シャーシの振動を吸収する作用と共にシャーシの後端部の一定幅での横振れを許容する特性を有しているとしても、シャーシの後端部の横振れが、フレーム枠から立ち上げられたリブによって構成することのできる制振機構によって阻止されるので、シャーシの横振れに伴う振動が抑制されて、ディスクの回転によって別部品が共振してびびり音が発生するという事態が抑制される。このため、本発明が適用されたディスク装置では、プレイモードなどでのディスクの回転に伴うびびり音が発生しにくくなり、それだけ動作品位に優れたディスク装置を提供することが可能になる。また、上記制振機構をフレーム枠から立ち上げられたリブで構成することにより、部品点数を増やさずに動作品位に優れたディスク装置を提供することが可能になる。
【図面の簡単な説明】
【００１５】
【図１】本発明の実施形態に係るディスク装置の要部の概略平面図である。
【図２】図１のＩＩ−ＩＩ線に沿う部分に相当する概略拡大断面図である。
【図３】組立性を有利にするための対策を講じた実施形態についての説明図である。
【図４】他の実施形態に係るディスク装置の要部の概略平面図である。
【図５】従来例によるディスク装置の要部の概略平面図である。
【発明を実施するための形態】
【００１６】
図１は本発明の実施形態に係るディスク装置の要部の概略平面図である。図２は図１のＩＩ−ＩＩ線に沿う部分に相当する概略拡大断面図である。図３は組立性を有利にするための対策を講じた実施形態についての説明図である。図４は他の実施形態に係るディスク装置の要部の概略平面図である。
【００１７】
図１のディスク装置において、その基本構成は、図５を参照して説明した従来例と同様である。すなわち、板金製の矩形のシャーシ１に装備されているターンテーブル２によって記録媒体としてのディスク（不図示）が回転駆動される。シャーシ１には、メインガイドシャフト３とサブガイドシャフト４とが平行に取り付けられていて、シャーシ１に取り付けられた走行駆動機構（不図示）の作用により、光ピックアップ５がそれらのガイドシャフト３，４により案内されて矢印Ａ方向に往復移動し、その移動中に、ターンテーブル２によって回転駆動されているディスクの記録面を光ピックアップ５が光学的に処理する。
【００１８】
シャーシ１は、その後端部１２の幅方向の２箇所（左右２箇所）が、防振ゴム材などで製作されているダンパー６を介してフレーム枠７に連結されている。さらに具体的には、図２によって判るように、ダンパー６は、円筒状の軸部６１の両端に鍔形部６２，６２を有し、その軸部６１をシャーシ１の後端部に形成されている切欠孔部１５にはめ込むことによってシャーシ１に保持されている。そして、シャーシ１の後端部１２の片面と他面とに重なりあっている上記鍔形部６２，６２のうち、片面側の鍔形部６２がフレーム枠７側のボス７２の頂面に載架されていると共に、他面側の鍔形部６２と軸部６１と片面側の鍔形部６２とに挿通させた頭付き取付ビス６５を上記ボス７２にねじ込むことによって、シャーシ１の後端部１２がフレーム枠７に連結されている。
【００１９】
これに対し、シャーシ１の前端部１３は昇降動作機構８に連結されている。昇降動作機構８は、カム溝（不図示）を備えて矢印Ｗのようにシャーシ１の幅方向（シャーシ１の揺動軸線Ｌに沿う方向：横方向）にスライドされるカムスライダー８１と、シャーシ１の前端部１３から前方に向けて突出されて上記カムスライダー８１のカム溝に摺動自在に係合しているガイドピン８２とを有している。したがって、カムスライダ８１がシャーシ１の幅方向にスライドすると、カムスライダ８１のカム溝に案内されたガイドピン８２がシャーシ１の前端部１３を昇降させるので、シャーシ１がフレーム枠７との連結箇所を支点として、すなわち、図１に一点鎖線で示した揺動軸線Ｌを支点として図２の矢印Ｓのように揺動する。シャーシ１が揺動軸線Ｌを支点として揺動するときには、シャーシ１とフレーム枠７とを連結しているダンパー６がそれ自体の弾性に抗して変形する。なお、シャーシ１がその揺動軸線Ｌを支点として揺動するのは、ディスクのクランプ動作が行われるとき、及び、ディスクのクランプ状態を解除するアンクランプ動作が行われるときであり、光ピックアップ５がディスクの記録面を光学的に処理しているとき（プレイモードなど）では、シャーシ１は実質的には揺動しない。
【００２０】
以上説明した構成を有するディスク装置では、ダンパー６には、振動吸収作用を発揮する比較的柔軟な防振ゴムが用いられている。そのため、ダンパー６は、シャーシ１の振動吸収作用と共にシャーシ１の後端部１２の一定幅での横振れを許容する特性を有している。したがって、上記した限りの構成を有するディスク装置では、シャーシ１の後端部１２の横振れを阻止する手段は存在しておらず、そのままでは、ダンパー６によって発揮されるところのシャーシ１の後端部１２の一定幅での横振れを許容する特性によって、シャーシ１が横振れに伴う振動を発生し、その振動が別部品に伝わってびびり音を発生するということが考えられる。
【００２１】
そこで、この実施形態では、シャーシ１の後端部１２の横振れを阻止するために制振機構９を設けてある。図１の事例ではこの制振機構９に次の構成を採用している。すなわち、シャーシ１の後端部１２に、後方へ突き出た横長の板片部１１を具備させてあるのに対し、樹脂成形体でなるフレーム枠７の後壁７１に内向き突片状の一対のリブ９２，９２を一体成形して立ち上げ、それらのリブ９２，９２の相互間で板片部１１をシャーシ１の揺動軸線Ｌに沿う方向で摺動自在に挟んでいる。この制振機構９において、それぞれのリブ９２と板片部１１の側端面とは、隙間の存在していない状態で当接し、しかも、一対のリブ９２，９２による挟圧力が板片部１１に作用していないか、作用しているとしてもそれほど大きな負荷にはならない状態で当接している。このため、板片部１１を一対のリブ９２，９２で挟んでいるとしても、シャーシ１を揺動軸線Ｌを支点として揺動させるための昇降動作機構８の動作負荷が増大することなく、仮に増大するとしても動作に支障を来すほどに極端に増大することはない。
【００２２】
上記制振機構９によると、シャーシ１が揺動軸線Ｌを支点として揺動したときに、シャーシ１の後端部１２の板片部１１の側端面がリブ９２の側面と摺動する。そのため、昇降駆動機構８によるシャーシ１の揺動が何らの支障を生じることもなく行われる。また、板片部１１をシャーシ１の揺動軸線Ｌに沿う方向で挟んでいる一対のリブ９２，９２が、ダンパー６によるシャーシ１の横振れを許容する特性を制限するので、ダンパー６は振動吸収作用だけを発揮し、シャーシ１の横振れを許容する特性を発揮しなくなる。その結果、シャーシ１の横振れが、ダンパー６を介してフレーム枠７に連結されているシャーシ１の後端部１２で阻止されるようになり、シャーシ１の横振れに伴う振動、ひいては別部品のびびり音が発生しにくくなる。
【００２３】
そのほか、制振機構９がフレーム枠７に一体成形されているリブ９２によって構成されているので、制振機構９を追加してあるとしても部品点数が増加することにはならない。
【００２４】
図３に示したように、この実施形態では、一対の上記リブ９２，９２の上端に内側に向けて下がり勾配を呈する傾斜した呼込みガイド面９３，９３を具備させてある。こうしておくと、シャーシ１をフレーム枠７にその上方から嵌め込んで組み付けるときに、左右の呼込みガイド面９３，９３を滑らせてシャーシ１の板片部１１を一対のリブ９２，９２の相互間に誘導して嵌め込むことが可能になる。そのため、シャーシ１の組立性が有利になるという利点がある。
【００２５】
また、シャーシ１はその重量が大きいほど振動や横振れを生じにくいことが判っているので、シャーシ１の後端部１２に上記した板片部１１を連設しておくことは、シャーシ１の重量を増大させてその振動や横振れを抑制することにも役立つ。
【００２６】
図４は変形例による制振機構９を採用した他の実施形態に係るディスク装置の要部を示している。図例の制振機構９は、シャーシ１の後端部に具備させた横長の板片部１１に形成したスリット状の切込み９３と、フレーム枠７の後壁７１から立ち上げられて上記切込み９３に摺動自在に挿入されているリブ９６とを備えている。言い換えると、リブ９６が切込み９３の相対向している左右の端面によって摺動自在に挟まれている。
【００２７】
この制振機構９によると、シャーシ１が揺動軸線Ｌを支点として揺動したときに、板片部１１に形成されている切込み９４の端面がリブ９２の左右の側面と摺動する。そのため、昇降駆動機構８によるシャーシ１の揺動が何らの支障を生じることもなく行われる。また、リブ９３が、ダンパー６によるシャーシ１の横振れを許容する特性を制限するので、ダンパー６は振動吸収作用だけを発揮し、シャーシ１の横振れを許容する特性を発揮しなくなる。その結果、シャーシ１の横振れが、ダンパー６を介してフレーム枠７に連結されているシャーシ１の後端部１２で阻止されるようになり、シャーシ１の横振れに伴う振動、ひいては別部品のびびり音が発生しにくくなる。
【００２８】
この実施形態によっても、制振機構９を追加してあるとしても部品点数が増加することにはならない。
【００２９】
なお、説明の便宜上、図１〜図５においては、同一又は相応する部分に同一符号を付してある。
【符号の説明】
【００３０】
１  シャーシ
６  ダンパー
７  フレーム枠
８  昇降動作機構
９  制振機構
１１  板片部
１２  シャーシの後端部
１３  シャーシの前端部
９２  リブ
９４  切込み
９６  リブ
【図１】
2010160852.tif 000003
【図２】
2010160852.tif 000004
【図３】
2010160852.tif 000005
【図４】
2010160852.tif 000006
【図５】
2010160852.tif 000007